(57)【特許請求の範囲】
【請求項１】
次の化学組成（質量％で）
Ｃ  ０．００１〜０．５％
Ｓ  最大０．００８％
Ｎ  ０．１〜０．３％
Ｃｒ  ２４〜２８％
Ｎｉ  ３０〜３３％
Ｍｎ  １．０〜２．０％
Ｓｉ  ０．００５〜０．２％
Ｍｏ  ６．０〜７．５％
Ｔｉ  最大０．０５％、
Ｎｂ  最大０．０５％
Ｃｕ  ０．８〜２．０％
Ｐ  最大０．０２５％
Ａｌ  最大０．２％
Ｃｅｒ  ＭＭ  ０．０１〜０．１％
Ｗ  最大０．５％
Ｃｏ  最大０．５％
Ｂ  ０．００１〜０．０５％
Ｆｅ  残分および製造に不可避の不純物を有する、触媒により水素を製造するための、厚さが１．０ｍｍ未満である、金属箔。
【請求項２】
次の化学組成（質量％で）
Ｃ  ０．００１〜０．０２％
Ｓ  最大０．００５％
Ｎ  ０．１５〜０．２５％
Ｃｒ  ２６〜２７．５％
Ｎｉ  ３１〜３２％
Ｍｎ  １．２〜２．０％未満
Ｓｉ  ０．０１〜０．１％未満
Ｍｏ  ６．０〜７．０％
Ｔｉ  最大０．０５％、
Ｎｂ  最大０．０５％
Ｃｕ  １．０〜２．０％未満
Ｐ  最大０．０２％
Ａｌ  最大０．１５％
Ｃｅｒ  ＭＭ  ０．０２〜０．１％未満
Ｗ  最大０．３％
Ｃｏ  最大０．５％
Ｂ  ０．００１〜０．０１％
Ｆｅ  残分および製造に不可避の不純物を有する、請求項１記載の金属箔。
【請求項３】
請求項１または２記載の金属箔を製造する方法であって、この金属箔を半製品の機械的な冷間成形および／または熱間成形によって、１．０ｍｍ未満の最終厚さにもたらす、請求項１または２記載の金属箔を製造する方法。
【請求項４】
１．０ｍｍ未満の箔を製造するための機械的成形に対してロールを使用する、請求項３記載の方法。
【請求項５】
硬質金属ロールを使用する、請求項４記載の方法。
【請求項６】
１．０ｍｍ未満の最終厚さに箔を圧延するために０．５μｍ未満の荒さＲａを有する硬質金属ロールを使用する、請求項５記載の方法。
【請求項７】
箔を灼熱工程前に電解質酸洗液で脱脂する、請求項３から６までのいずれか１項に記載の方法。
【請求項８】
１．０ｍｍ未満の最終厚さでの圧延工程の経過中に圧延油を使用し、この場合には、圧延の終了時に箔表面上に規定可能な厚さの圧延油膜が残存する、請求項３から７までのいずれか１項に記載の方法。
【請求項９】
金属箔を、機械的な成形に引き続いて５００〜１０００℃の温度で５〜６０分間酸素含有雰囲気下で熱処理する、請求項３から８までのいずれか１項に記載の方法。
【請求項１０】
金属箔をマッフル炉中で５５０〜９５０℃の温度で５〜４０分間、酸素含有雰囲気下で熱処理する、請求項３から９までのいずれか１項に記載の方法。
【請求項１１】
箔の厚さおよび熱処理の種類に依存して、規定の層厚の酸化物層を箔表面上で調節する、請求項３から１０までのいずれか１項に記載の方法。
【請求項１２】
光源と有効に関連する水溶液から水素を製造するための非担持金属触媒としての請求項１又は２に記載の金属箔の使用。
【請求項１３】
太陽光と有効に関連する水溶液から水素を製造するための非担持金属触媒としての請求項１又は２に記載の金属箔の使用。
【発明の詳細な説明】
【技術分野】
【０００１】
本発明は、触媒による水素製造のための金属箔に関する。
【０００２】
電流を発生させるソーラーセルと、この電流により水を水素と酸素に分解する電解質セルとの組合せによって、水素と酸素を製造し、これらを次に貯蔵し、必要な場合に燃料電池中で改めて電気エネルギーに変換しうることは、一般的に公知である。水素と酸素からなる前記混合物、いわゆる爆鳴気は、高い爆発性を有している。前記混合物の取扱は、高度な安全技術的要件が課されている。その上、工業的費用は、多大なものである。
【０００３】
ドイツ連邦共和国特許第３５３５３９５号明細書の記載は、水素ガスの製造に関し、この場合微粒状の金属触媒は、キレート形成剤を含有する水と６０〜１５０℃の温度で接触される。この微粒状の金属触媒は、ニッケル、コバルト、鉄、パラジウム、白金、銅、マグネシウム、マンガンの群から選択される。好ましくは、金属触媒は、主にニッケルまたはこれからの合金からなる。
【０００４】
本発明の目的は、規定可能な合金から触媒により水素を製造するための金属箔を準備することである。
【０００５】
その上、この種の金属箔を製造するための方法も提案される。
【０００６】
最後に、金属箔それ自体は、特殊な使用目的に適している。
【０００７】
この目的は、次の化学組成（質量％で）：
Ｃ  ０．００１〜０．５％
Ｓ  最大０．００８％
Ｎ  ０．１〜０．３％
Ｃｒ  ２４〜２８％
Ｎｉ  ３０〜３３％
Ｍｎ  １．０〜２．０％
Ｓｉ  ０．００５〜０．２％
Ｍｏ  ６．０〜７．５％
Ｔｉ  最大０．０５％、
Ｎｂ  最大０．０５％
Ｃｕ  ０．８〜２．０％
Ｐ  最大０．０２５％
Ａｌ  最大０．２％
Ｃｅｒ  ＭＭ  ０．０１〜０．１％
Ｗ  最大０．５％
Ｃｏ  最大０．５％
Ｂ  ０．００１〜０．０５％
Ｆｅ  残分および製造に不可避の不純物を有する、触媒により水素を製造するための金属箔によって達成される。
【０００８】
本発明の金属箔の好ましいさらなる実施態様は、属する従属請求項から確認することができる。
【０００９】
また、この目的は、半製品の機械的な冷間成形および／または熱間成形によって、場合により少なくとも１回の熱処理／灼熱処理で１．０ｍｍ未満の最終厚さにもたらされる、前記の化学組成からの金属箔を製造するための方法によって達成される。
【００１０】
本発明のもう１つの思想によれば、機械的成形は、圧延によって、必要に応じて１回または数回の灼熱を伴って実施される。殊に圧延工程の終了頃に０．５μｍの最大荒さを備えた硬質金属ローラーが使用される。
【００１１】
更に、前記金属箔をそれぞれの灼熱工程前に電解質酸洗液で脱脂することは、好ましい。
【００１２】
１．０ｍｍ未満の最終厚さでの圧延工程の経過中に一定の化学組成の圧延油を使用することは、好ましく、この場合には、さらに最終圧延工程の終了時に箔表面上に規定可能な膜厚の圧延油膜が残存する。
【００１３】
更に、こうして準備された、前記の箔状半製品は、箔表面上での規定可能な層厚の酸化物層の形成ために、次に記載された特殊な熱処理に掛けられる。この方法によって、定義されたスピネル構造が箔表面上に発生されうる。
【００１４】
この金属箔は、機械的な成形に引き続いて５００〜１０００℃の温度で５〜６０分間酸素含有雰囲気下で熱処理される。
【００１５】
金属箔をマッフル炉中で５５０〜９５０℃の温度で５〜４０分間、酸素含有雰囲気下で熱処理することは、特に有利である。
【００１６】
この種の金属箔は、有利に非担持金属触媒として光源と有効に関連する水溶液からの水素の製造のために使用されてよい。
【００１７】
この場合、有効で安価な光源として太陽光が使用される。
【００１８】
水は、水溶液として公知である、最も普及した溶剤である。この場合には、飲料水と共に塩水も挙げられる。
【００１９】
しかし、さらに酸および塩基は、水溶液とも見なされ、水素の発生のために使用可能である。
【００２０】
金属箔は、有利に０．０１〜１．０ｍｍの最終厚さで機械的に変形され、この場合には、前記の熱処理および／または灼熱処理が実施されてよい。
【００２１】
次表中には、２つの本発明による合金組成が記載されている。
【００２２】
【表１】
0005538525.tif 000002
【００２３】
特許請求の範囲に記載された他の元素は、微少量でのみ存在するか、または製造の経過中に得られる不純物に算入される。
【００２４】
１つの試験のために、本発明による冷間成形法および熱間成形法により、殊に圧延によって製造される、上記合金からの厚さ０．０２ｍｍの金属箔を使用した。この金属箔を８分間マッフル炉中で８００℃で酸素含有雰囲気下で熱処理に掛けた。前記方法によって、前記箔をさらに水溶液ならびに光源との有効な関連で水素の製造のために使用可能にする、箔表面上の定義された層厚の酸化物層を製造することができた。
【００２５】
引続き、触媒として使用可能な前記金属箔４ｃｍ2または０．２８２ｇを１００ｍｌのビーカー中に装入した。このために、飲料水６５ｇを溶剤として供給し、非担持金属触媒を含むビーカーを太陽光に晒した。触媒箔上に小さな気泡の目視可能な形成が開始した。